(57)【要約】【課題】  フォーカス群を軽量化しつつ、ウォブリング時の像倍率変動を抑え、良好な光学性能を得ることが可能で、ミラーレスカメラに最適なズームレンズを提供する。【解決手段】  正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有する第５レンズ群Ｌ５と、正の屈折力を有する第６レンズ群Ｌ６とからなり、ズーミングに際して隣り合うレンズ群の間隔が変化すると共に第６レンズ群Ｌ６は像面に対して固定であり、フォーカシングに際して第５レンズ群Ｌ５が像面側に移動し、第５レンズ群Ｌ５は単レンズで構成され、所定の条件式を満足することを特徴とするズームレンズ。【選択図】  図１
2020197597.tif 000002
【特許請求の範囲】
【請求項１】
物体側から像側へ順に、
正の屈折力を有する第１レンズ群Ｌ１と、
負の屈折力を有する第２レンズ群Ｌ２と、
負の屈折力を有する第３レンズ群Ｌ３と、
開口絞りと、
正の屈折力を有する第４レンズ群Ｌ４と、
負の屈折力を有する第５レンズ群Ｌ５と、
正の屈折力を有する第６レンズ群Ｌ６と、
からなり、
ズーミングに際して隣り合うレンズ群の間隔が変化すると共に前記第６レンズ群Ｌ６は像面に対して固定であり、フォーカシングに際して前記第５レンズ群Ｌ５が像面側に移動し、前記第５レンズ群Ｌ５は単レンズで構成され、以下の条件式を満足することを特徴とするズームレンズ。
（１）  ０．８６＜β５ｗｂ＾２×（β５ｗ＾２−１）
但し、
β５ｗは広角端で無限遠合焦時の前記第５レンズ群Ｌ５の横倍率、
β５ｗｂは広角端で無限遠合焦時の前記第５レンズ群Ｌ５より像面側に配するレンズ系の横倍率である。
【請求項２】
以下の条件式を満足することを特徴とする請求項１記載のズームレンズ。
（２）  ０．５０＜Ｙ／Ｂｆ′
但し、
Ｙは最大像高、
Ｂｆ′は前記第６レンズ群Ｌ６の最も像側面の面頂から像面までの距離であり、カメラ側フィルターを除いた場合の空気換算光路長である。
【請求項３】
前記第４レンズ群Ｌ４に含まれる少なくとも１枚の正レンズが以下の条件式を満足することを特徴とする請求項１又は２記載のズームレンズ。
（３）  ６５＜νｄ４ｐ
但し、
νｄ４ｐは前記第４レンズ群Ｌ４に含まれる正レンズのアッベ数νｄである。
【請求項４】
前記第２レンズ群Ｌ２に含まれる少なくとも１枚の正レンズが以下の条件式を満足することを特徴とする請求項１乃至３のいずれかに記載のズームレンズ。
（４）  νｄ２ｐ＜３０
（５）  ０．００５０＜ΔＰｇＦ２ｐ
但し、
ΔＰｇＦ２ｐは前記第２レンズ群Ｌ２に含まれる正レンズの異常部分分散性であり、以下の式で表される。
ΔＰｇＦ２ｐ＝ＰｇＦ２ｐ＋０．００１８×νｄ２ｐ−０．６４８３３
但し、
νｄ２ｐは前記第２レンズ群Ｌ２に含まれる正レンズのアッベ数νｄ、
ＰｇＦ２ｐは前記第２レンズ群Ｌ２に含まれる正レンズのｇ線とＦ線に関する部分分散比ＰｇＦである。
【請求項５】
以下の条件式を満足することを特徴とする請求項１乃至４のいずれかに記載のズームレンズ。
（６）  ２．００＜ｆ１／ｆｗ＜８．００
但し、
ｆ１は第１レンズ群Ｌ１の焦点距離、
ｆｗは広角端における無限遠合焦時のレンズ全系の焦点距離である。
【請求項６】
以下の条件式を満足することを特徴とする請求項１乃至５のいずれかに記載のズームレンズ。
（７）  −１．２２＜ｆ２／ｆｗ＜−０．５３
但し、
ｆ２は第２レンズ群Ｌ２の焦点距離、
ｆｗは広角端における無限遠合焦時のレンズ全系の焦点距離である。
【請求項７】
前記第４レンズ群Ｌ４の一部を略垂直方向に移動させることで像を光軸に対して垂直に移動することが可能な請求項１乃至６のいずれかに記載のズームレンズ。
【発明の詳細な説明】
【技術分野】
【０００１】
本発明は、バックフォーカスの短いミラーレスカメラに最適なズームレンズに関する。
【０００２】
ミラーレスカメラの合焦方法の一つとして、コントラストＡＦがある。コントラストＡＦでは、フォーカスレンズをウォブリング駆動させることで、合焦位置検出を行う。
【０００３】
ウォブリング駆動とは、合焦のずれ方向を検出するために、フォーカス群を光軸方向に高速に微小移動させることである。このウォブリングの際に像倍率変動が大きいと、画面上で被写体の大きさが変化するため、特に動画時に画像の品質を著しく悪化させてしまう。従って、ウォブリングの際には像倍率変動を小さくする必要がある。
【０００４】
また、ウォブリング動作を行うためのアクチュエータとして、一般的に、ステッピングモータや、ボイスコイルモータなどのリニアモータ等が用いられており、これらのアクチュエータを用いウォブリング動作を高速かつ高精度に行うためには、アクチュエータへの負担を軽減するため、レンズを軽量化する必要がある。
【背景技術】
【０００５】
以下の特許文献において従来のズームレンズが開示されている。
【０００６】
特許文献１及び特許文献２の発明では、フォーカスレンズを単レンズ化することで軽量化を図っている。
【先行技術文献】
【特許文献】
【０００７】
【特許文献１】特許５５３０１０５号公報
【特許文献２】特開２０１８−１４６８６９号公報
【発明の概要】
【発明が解決しようとする課題】
【０００８】
しかしながら、特許文献１及び特許文献２の発明では、特に広角端側において、ウォブリング時の像倍率変動が大きいという課題がある。
【０００９】
そこで、本発明は、従来のズームレンズの課題を解決し、フォーカス群を軽量化しつつ、ウォブリング時の像倍率変動を抑え、良好な光学性能を得ることが可能で、ミラーレスカメラに最適なズームレンズを提供することを目的とする。
【課題を解決するための手段】
【００１０】
上記目的を達成するために、本発明を実施のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有する第５レンズ群Ｌ５と、正の屈折力を有する第６レンズ群Ｌ６と、からなり、ズーミングに際して隣り合うレンズ群の間隔が変化すると共に前記第６レンズ群Ｌ６は像面に対して固定であり、フォーカシングに際して前記第５レンズ群Ｌ５が像面側に移動し、前記第５レンズ群Ｌ５は単レンズで構成され、以下の条件式を満足することを特徴とする。
（１）  ０．８６＜β５ｗｂ＾２×（β５ｗ＾２−１）
但し、
β５ｗは広角端で無限遠合焦時の前記第５レンズ群Ｌ５の横倍率、
β５ｗｂは広角端で無限遠合焦時の前記第５レンズ群Ｌ５より像面側に配するレンズ系の横倍率である。
【００１１】
また、本発明を実施のズームレンズは、好ましくは、以下の条件式を満足することを特徴とする。
（２）  ０．５０＜Ｙ／Ｂｆ′
但し、
Ｙは最大像高、
Ｂｆ′は前記第６レンズ群Ｌ６の最も像側面の面頂から像面までの距離であり、カメラ側フィルターを除いた場合の空気換算光路長である。
【００１２】
また、本発明を実施のズームレンズは、好ましくは、前記第４レンズ群Ｌ４に含まれる少なくとも１枚の正レンズが以下の条件式を満足することを特徴とする。
（３）  ６５＜νｄ４ｐ
但し、
νｄ４ｐは前記第４レンズ群Ｌ４に含まれる正レンズのアッベ数νｄである。
【００１３】
また、本発明を実施のズームレンズは、好ましくは、前記第２レンズ群Ｌ２に含まれる少なくとも１枚の正レンズが以下の条件式を満足することを特徴とする。
（４）  νｄ２ｐ＜３０
（５）  ０．００５０＜ΔＰｇＦ２ｐ
但し、
ΔＰｇＦ２ｐは前記第２レンズ群Ｌ２に含まれる正レンズの異常部分分散性であり、以下の式で表される。
ΔＰｇＦ２ｐ＝ＰｇＦ２ｐ＋０．００１８×νｄ２ｐ−０．６４８３３
但し、
νｄ２ｐは前記第２レンズ群Ｌ２に含まれる正レンズのアッベ数νｄ、
ＰｇＦ２ｐは前記第２レンズ群Ｌ２に含まれる正レンズのｇ線とＦ線に関する部分分散比ＰｇＦである。
【００１４】
また、本発明を実施のズームレンズは、好ましくは、以下の条件式を満足することを特徴とする。
（６）  ２．００＜ｆ１／ｆｗ＜８．００
但し、
ｆ１は第１レンズ群Ｌ１の焦点距離、
ｆｗは広角端における無限遠合焦時のレンズ全系の焦点距離である。
【００１５】
また、本発明を実施のズームレンズは、好ましくは、以下の条件式を満足することを特徴とする。
（７）  −１．２２＜ｆ２／ｆｗ＜−０．５３
但し、
ｆ２は第２レンズ群Ｌ２の焦点距離、
ｆｗは広角端における無限遠合焦時のレンズ全系の焦点距離である。
【００１６】
また、本発明を実施のズームレンズは、好ましくは、前記第４レンズ群Ｌ４の一部を略垂直方向に移動させることで像を光軸に対して垂直に移動可能であることを特徴とする。
【発明の効果】
【００１７】
本発明によれば、フォーカス群を軽量化しつつ、ウォブリング時の像倍率変動を抑制し、良好な光学性能を得ることが可能で、ミラーレスカメラに最適なズームレンズを提供することができる。
【図面の簡単な説明】
【００１８】
【図１】本発明の実施例１に係るズームレンズの無限遠合焦時の広角端におけるレンズ構成図
【図２】本発明の実施例１に係るズームレンズの無限遠合焦時の（ａ）広角端、（ｂ）中間ズーム位置、（ｃ）望遠端における縦収差図
【図３】本発明の実施例１に係るズームレンズの無限遠合焦時の（ａ）広角端、（ｂ）中間ズーム位置、（ｃ）望遠端における横収差図
【図４】本発明の実施例２に係るズームレンズの無限遠合焦時の広角端におけるレンズ構成図
【図５】本発明の実施例２に係るズームレンズの無限遠合焦時の（ａ）広角端、（ｂ）中間ズーム位置、（ｃ）望遠端における縦収差図
【図６】本発明の実施例２に係るズームレンズの無限遠合焦時の（ａ）広角端、（ｂ）中間ズーム位置、（ｃ）望遠端における横収差図
【図７】本発明の実施例３に係るズームレンズの無限遠合焦時の広角端におけるレンズ構成図
【図８】本発明の実施例３に係るズームレンズの無限遠合焦時の（ａ）広角端、（ｂ）中間ズーム位置、（ｃ）望遠端における縦収差図
【図９】本発明の実施例３に係るズームレンズの無限遠合焦時の（ａ）広角端、（ｂ）中間ズーム位置、（ｃ）望遠端における横収差図
【図１０】本発明の実施例４に係るズームレンズの無限遠合焦時の広角端におけるレンズ構成図
【図１１】本発明の実施例４に係るズームレンズの無限遠合焦時の（ａ）広角端、（ｂ）中間ズーム位置、（ｃ）望遠端における縦収差図
【図１２】本発明の実施例４に係るズームレンズの無限遠合焦時の（ａ）広角端、（ｂ）中間ズーム位置、（ｃ）望遠端における横収差図
【図１３】本発明の実施例５に係るズームレンズの無限遠合焦時の広角端におけるレンズ構成図
【図１４】本発明の実施例５に係るズームレンズの無限遠合焦時の（ａ）広角端、（ｂ）中間ズーム位置、（ｃ）望遠端における縦収差図
【図１５】本発明の実施例５に係るズームレンズの無限遠合焦時の（ａ）広角端、（ｂ）中間ズーム位置、（ｃ）望遠端における横収差図
【図１６】本発明の実施例６に係るズームレンズの無限遠合焦時の広角端におけるレンズ構成図
【図１７】本発明の実施例６に係るズームレンズの無限遠合焦時の（ａ）広角端、（ｂ）中間ズーム位置、（ｃ）望遠端における縦収差図
【図１８】本発明の実施例６に係るズームレンズの無限遠合焦時の（ａ）広角端、（ｂ）中間ズーム位置、（ｃ）望遠端における横収差図
【図１９】本発明の実施例６に係るズームレンズの無限遠合焦時の（ａ）広角端、（ｂ）中間ズーム位置、（ｃ）望遠端における０．３°手振れ補正時の横収差図
【発明を実施するための形態】
【００１９】
本発明の実施例のズームレンズは、図１、図４、図７、図１０、図１３、図１６に示すレンズ構成図からわかるように、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有する第５レンズ群Ｌ５と、正の屈折力を有する第６レンズ群Ｌ６と、からなり、ズーミングに際して隣り合うレンズ群の間隔が変化すると共に第６レンズ群Ｌ６は像面に対して固定であり、フォーカシングに際して第５レンズ群Ｌ５が像面側に移動し、第５レンズ群Ｌ５は単レンズで構成することを特徴とする。
【００２０】
以下、本実施形態のズームレンズについて説明する。本発明において、変倍比の大きい第２レンズ群Ｌ２と直後の第３レンズ群Ｌ３との間隔をズーム時に変化させることで、変倍時のフローティング効果を発揮させることができる。すなわち、広角端側においてはズーム時の像面湾曲変動の補正を、また、望遠端側においてはズーム時の球面収差変動やコマ収差変動の補正を効果的に行うことが可能となる。
【００２１】
さらに、以下の条件式を満足することにより、第５レンズ群Ｌ５の像面敏感度を規定し、ウォブリング時の像倍率変動を抑えることが可能となる。
（１）  ０．８６＜β５ｗｂ＾２×（β５ｗ＾２−１）
但し、
β５ｗは広角端で無限遠合焦時の前記第５レンズ群Ｌ５の横倍率、
β５ｗｂは広角端で無限遠合焦時の前記第５レンズ群Ｌ５より像面側に配するレンズ系の横倍率である。
【００２２】
以下、その説明を行う。像高をｙ、ウォブリング時の像高変化量をΔｙ、ウォブリング時の像面でのデフォーカス量をΔｄｅｆとすると、像倍率変動率は、係数Ｋｗ＝Δｙ／（ｙ・Δｄｅｆ）で表すことができる。この関係式から、係数Ｋｗが大きいほど像高変化量が大きくなり、ウォブリング時の像倍率変動も大きくなることが分かる。
【００２３】
また、係数Ｋｗは以下の参考式ａにて近似的に表すことができる。
（参考式ａ）  Ｋｗ＝（βｗｏ／Ｆｗｏ・ｋｗｏ）−１／（Ｆｗｏｂ・βｗｏｂ）−（ｔａｎθ／ｙ）
但し、
βｗｏはウォブリング群の横倍率、
Ｆｗｏはウォブリング群の焦点距離、
Ｆｗｏｂはウォブリング群より像側に配するレンズ系の焦点距離、
βｗｏｂはウォブリング群より像側に配するレンズ系の横倍率、
θは最大光線高の主光線の、光軸を基準とした像面に入射する角度、
ｙは最大像高、
ｋｗｏはウォブリング群の像面敏感度であり、以下の参考式ｂで表される。
（参考式ｂ）  ｋｗｏ＝Δｄｅｆ／Δｓ＝βｗｏｂ＾２×（βｗｏ＾２−１）
但し、
ｋｗｏはウォブリング群の像面敏感度、
Δｄｅｆは像面でのデフォーカス量、
Δｓはウォブリング群の光軸に沿った移動量である。
【００２４】
参考式ａより、係数Ｋｗとウォブリング群の像面敏感度ｋｗｏは逆比例関係にあることがわかる。そのため、ウォブリング群の像面敏感度ｋｗｏが小さくなると、係数Ｋｗは大きくなるため、ウォブリング時の像倍率変動は増大してしまう。従って、ウォブリング時の像倍率変動を小さくするには、ウォブリング群の像面敏感度ｋｗｏを大きくする必要がある。
【００２５】
以上のことから、条件式（１）の下限値を超え、像面敏感度が小さくなると、ウォブリング時の像倍率変動が大きくなり、これを補正することが困難となる。
【００２６】
なお、上述した条件式（１）について、下限値を０．９５に規定することで、前述の効果をより確実にすることができる。
【００２７】
さらに、以下の条件式を満足することを特徴とする。
（２）  ０．５０＜Ｙ／Ｂｆ′
但し、
Ｙは最大像高、
Ｂｆ′は第６レンズ群Ｌ６の最も像側面の面頂から像面までの距離であり、カメラ側フィルターを除いた場合の空気換算光路長である。
【００２８】
条件式（２）は、小型化のために、第６レンズ群Ｌ６の最も像側面の面頂から像面までの距離を規定したものである。
【００２９】
条件式（２）の下限値を超え、第６レンズ群Ｌ６の最も像側面の面頂から像面までの距離が長くなると、レンズ全系の全長が長くなるため、小型化に不利となる。
【００３０】
なお、上述した条件式（２）について、下限値を０．６０に規定することで、前述の効果をより確実にすることができる。
【００３１】
さらに、第４レンズ群Ｌ４に含まれる少なくとも１枚の正レンズが以下の条件式を満足することを特徴とする。
（３）  ６５＜νｄ４ｐ
但し、
νｄ４ｐは第４レンズ群Ｌ４に含まれる正レンズのアッベ数νｄである。
【００３２】
条件式（３）は、高性能化のため、第４レンズ群Ｌ４に含まれる正レンズのアッベ数を規定したものである。
【００３３】
条件式（３）の下限値を超え、第４レンズ群Ｌ４に含まれる正レンズのアッベ数νｄが小さくなると、特に望遠端側での軸上色収差が悪化し、これをレンズ全系で補正することが困難となる。
【００３４】
なお、条件式（３）の下限値は７５に限定することで、前述の効果をより確実にすることができる。
【００３５】
さらに、第２レンズ群Ｌ２に含まれる少なくとも１枚の正レンズが以下の条件式を満足することを特徴とする。
（４）  νｄ２ｐ＜３０
（５）  ０．００５０＜ΔＰｇＦ２ｐ
但し、
ΔＰｇＦ２ｐは第２レンズ群Ｌ２に含まれる正レンズの異常部分分散性であり、以下の式で表される。
ΔＰｇＦ２ｐ＝ＰｇＦ２ｐ＋０．００１８×νｄ２ｐ−０．６４８３３
但し、
νｄ２ｐは第２レンズ群Ｌ２に含まれる正レンズのアッベ数νｄ、
ＰｇＦ２ｐは第２レンズ群Ｌ２に含まれる正レンズのｇ線とＦ線に関する部分分散比ＰｇＦである。
【００３６】
条件式（４）および（５）は、高性能化のため、第２レンズ群Ｌ２に含まれる正レンズのアッベ数νｄｐと異常部分分散性ΔＰｇＦを規定したものである。
【００３７】
なお、ｇ線、Ｆ線、ｄ線、Ｃ線、の屈折率をそれぞれ、Ｎｇ、ＮＦ、Ｎｄ、ＮＣとした場合、部分分散比ＰｇＦは以下の式で表す。
ＰｇＦ＝（Ｎｇ−ＮＦ）／（ＮＦ−ＮＣ）
【００３８】
条件式（４）の上限値を超えアッベ数νｄが大きくなると共に、条件式（５）の下限値を超え異常部分分散性ΔＰｇＦが小さくなると、特に、望遠端における２次スペクトルの補正が不足することで軸上色収差が悪化し、これをレンズ全系で良好に補正することが困難となる。
【００３９】
なお、条件式（４）の上限値を２７、条件式（５）の下限値を０．０１００に限定することで、前述の効果をより確実にすることができる。
【００４０】
さらに、以下の条件式を満足することを特徴とする。
（６）  ２．００＜ｆ１／ｆｗ＜８．００
但し、
ｆ１は第１レンズ群Ｌ１の焦点距離、
ｆｗは広角端における無限遠合焦時のレンズ全系の焦点距離である。
【００４１】
条件式（６）は、性能と小型化を両立するために、第１レンズ群Ｌ１の焦点距離を規定したものである。
【００４２】
条件式（６）の下限値を超え、第１レンズ群Ｌ１の焦点距離が短くなると、ズーミング時の第１レンズ群Ｌ１の移動量が減少するため、小型化には有利になるが、特に望遠端側において、第１レンズ群Ｌ１の焦点距離が短くなる分、第１レンズ群Ｌ１以降の倍率負担が増大し、第１レンズ群Ｌ１で残存する球面収差や軸上色収差は、第１レンズ群以降の横倍率の自乗倍されるため、結果的に第１レンズ群Ｌ１で発生する球面収差や軸上色収差が増大することとなり、これをレンズ全系で良好に補正することが困難となる。
【００４３】
条件式（６）の上限値を超え、第１レンズ群Ｌ１の焦点距離が長くなると、収差補正上は有利となるが、ズーミング時の第１レンズ群Ｌ１の移動量が増加するため、望遠端でのレンズ全長が増大するだけでなく、望遠端での第１レンズ群Ｌ１の径も増大し、小型化に不利となる。
【００４４】
なお、条件式（６）の上限値は７．７０、下限値は２．３０、に限定することで、前述の効果をより確実にすることができる。
【００４５】
さらに、以下の条件式を満足することを特徴とする。
（７）  −１．２２＜ｆ２／ｆｗ＜−０．５３
但し、
ｆ２は第２レンズ群Ｌ２の焦点距離、
ｆｗは広角端における無限遠合焦時のレンズ全系の焦点距離である。
【００４６】
条件式（７）は、性能と小型化を両立するために、第２レンズ群Ｌ２の焦点距離を規定したものである。
【００４７】
条件式（７）の上限値を超え、第２レンズ群Ｌ２の焦点距離が短くなると、ズーミング時の第２レンズ群Ｌ２の移動量が減少するため、小型化には有利になるが、第２レンズ群Ｌ２で発生するコマ収差や像面湾曲が増大し、これをレンズ全系で良好に補正することが困難となる。
【００４８】
条件式（７）の下限値を超え、第２レンズ群Ｌ２の焦点距離が長くなると、収差補正上は有利となるが、ズーミング時の第２レンズ群Ｌ２の移動量が増加するため、望遠端でのレンズ全長が増大し、小型化に不利となる。
【００４９】
なお、条件式（７）の上限値は―０．６０、下限値は―１．００、に限定することで、前述の効果をより確実にすることができる。
【００５０】
さらに、第４レンズ群Ｌ４の一部を略垂直方向に移動させることで像を光軸に対して垂直に移動させることを特徴とする。
【００５１】
第４レンズ群Ｌ４は、レンズ全系の中で、比較的光線高が低く、レンズ径を抑えることができるため、当該群の一部を防振群とすることは、防振ユニットの小型化及び製品外径の小型化を行うことに有利となる。
【００５２】
以下、本発明にかかるズームレンズの実施例１乃至６の数値データを示す。
【００５３】
［面データ］において、第１列は物体側から数えたレンズ面の順番、第２列のｒはレンズ面の曲率半径、第３列ｄはレンズ面間隔、第４列ｎｄはｄ線（波長λ＝５８７．５６ｎｍ）での屈折率、第５列νｄはｄ線でのアッベ数、第６列ΔＰｇＦはｇ線（波長λ＝４３５．８４ｎｍ）とＦ線（波長λ＝４８６．１３ｎｍ）に関する異常部分分散性を表す。またｒ＝∞は平面を表し、（ＢＦ）はバックフォーカス、（絞り）は絞り面を示し、空気の屈折率ｎ＝１．００００はその記載を省略する。
【００５４】
面番号に付した＊（アスタリスク）は、そのレンズ面形状が非球面であることを示している。
【００５５】
平面又は開口絞りに対する曲率半径には∞（無限大）を記入している。
【００５６】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２、１４、１６、１８、２０次の非球面係数をそれぞれＡ４、Ａ６、Ａ８、Ａ１０、Ａ１２、Ａ１４、Ａ１６、Ａ１８、Ａ２０と置くとき、非球面の座標が以下の式で表わされるものとする。
2020197597.tif 000003
【００５７】
［各種データ］には、各焦点距離状態における焦点距離等の値を示している。
【００５８】
［可変間隔データ］には、各焦点距離状態における可変間隔及びＢＦ（バックフォーカス）の値を示している。
【００５９】
［レンズ群データ］には、各レンズ群を構成する最も物体側の面番号及び群全体の合成焦点距離を示している。
【００６０】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００６１】
また、これらの各実施例における条件式の対応値の一覧を示す。
【００６２】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。さらに図１、４、７、１０、１３、１６に示すレンズ構成図において、Ｓは開口絞り、Ｉは像面、ＬＰＦはローパスフィルター、中心を通る一点鎖線は光軸である。
【実施例１】
【００６３】
図１は実施例１に係るズームレンズの広角端での無限遠合焦時におけるレンズ構成図である。実施例１のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【００６４】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【００６５】
第２レンズ群Ｌ２は、物体側から像側へ順に、物体側に凸面を向けＲ１面とＲ２面両面が非球面の凹メニスカスレンズと、両凹レンズと両凸レンズの接合レンズとから構成される。
【００６６】
第３レンズ群Ｌ３は、物体側から像側へ順に、物体側に凹面を向けた凹メニスカスレンズと、物体側に凹面を向けた凸メニスカスレンズとから構成される。
【００６７】
第４レンズ群Ｌ４は、物体側から像側へ順に、Ｒ１面とＲ２面両面が非球面の両凸レンズと、物体側に凸面を向けた凹メニスカスレンズと両凸レンズの接合レンズと、物体側に凸面を向けた凹メニスカスレンズと物体側に凸面を向けた凸メニスカスレンズの接合レンズと、Ｒ１面とＲ２面両面が非球面の両凸レンズとから構成される。
【００６８】
第５レンズ群Ｌ５は、物体側に凸面を向けた凹メニスカスレンズで構成される。
【００６９】
第６レンズ群Ｌ６は、物体側に凸面を向けた凸メニスカスレンズで構成される。
【００７０】
続いて、以下に実施例１に係るズームレンズの諸元値を示す。
【００７１】
数値実施例1
単位：mm
[面データ]
面番号              r             d            nd            vd      ΔPgF
物面              ∞          (d0)
1          662.6776        1.5000       1.92119         23.96
2           81.5013        6.8759       1.77250         49.62
3         -493.3196        0.1500
4           43.4506        6.7726       1.77250         49.62
5          132.2971          (d5)
6*         194.2311        1.8191       1.80834         40.92
7*          18.2910        6.7536
8          -32.1178        0.8000       1.72000         50.23
9          105.1890        3.0187       1.92286         20.88     0.0283
10         -73.4026         (d10)
11         -16.7355        0.8000       1.60311         60.69
12         -33.0343        0.1500
13        -464.0940        2.2658       2.00069         25.46
14         -75.4152         (d14)
15(絞り）            ∞        1.5000
16*          30.4258        5.6728       1.80610         40.73
17*        -392.3334        3.2376
18          93.1084        1.0000       1.57135         52.95
19          21.6181        7.3729       1.49700         81.61
20         -47.6240        0.1500
21          58.2477        1.0000       1.90366         31.34
22          14.0074        6.6328       1.49700         81.61
23          58.9204        5.0859
24*          44.9696        5.7778       1.58913         61.25
25*         -39.1972         (d25)
26         237.1915        0.8000       1.57135         52.95
27          30.6512         (d27)
28          95.0262        2.4368       2.00069         25.46
29         157.0533       22.9854
30               ∞        2.5000       1.51680         64.20
31               ∞         （BF)
像面              ∞
[非球面データ]
6面           7面          16面          17面
K            0.00000       0.00000       0.00000       0.00000
A4       4.81710E-05   4.69350E-05  -3.41260E-06   8.34410E-06
A6      -4.08240E-07  -3.61580E-07  -1.14420E-08  -1.21250E-08
A8       3.31830E-09   3.39530E-09   4.26640E-11   2.52760E-11
A10      -1.76530E-11  -2.70820E-11  -3.08720E-13  -2.76680E-13
A12       6.17270E-14   3.32010E-13   0.00000E+00   0.00000E+00
A14      -1.27540E-16  -2.35160E-15   0.00000E+00   0.00000E+00
A16       1.21100E-19   7.08020E-18   0.00000E+00   0.00000E+00
A18       0.00000E+00   0.00000E+00   0.00000E+00   0.00000E+00
A20       0.00000E+00   0.00000E+00   0.00000E+00   0.00000E+00
24面          25面
K            0.00000       0.00000
A4      -8.57650E-06  -7.99250E-06
A6      -7.47580E-09  -5.52660E-08
A8       2.07910E-10   5.54390E-10
A10      -3.98260E-12  -6.02820E-12
A12       1.64320E-14   1.87280E-14
A14       0.00000E+00   0.00000E+00
A16       0.00000E+00   0.00000E+00
A18       0.00000E+00   0.00000E+00
A20       0.00000E+00   0.00000E+00
[各種データ]
ズーム比          2.50
広角          中間          望遠
焦点距離         28.95         45.80         72.45
Fナンバー          2.93          2.91          2.92
全画角2ω         75.04         49.23          31.7
像高Y           21.63         21.63         21.63
レンズ全長       134.00        140.25        154.38
[可変間隔データ]
広角          中間          望遠
d0               ∞            ∞            ∞
d5            0.8000       10.5354       21.1427
d10            4.5413        4.5516        5.1134
d14           16.2847        6.5778        1.5000
d25            2.5000        6.7018        4.8113
d27           11.8156       13.8286       23.7505
BF            1.0000        1.0000        1.0000
[レンズ群データ]
群              始面     焦点距離
L1                 1        74.07
L2                 6       -20.79
L3                11      -171.96
L4                16        29.52
L5                26       -61.70
L6                28       235.81
【実施例２】
【００７２】
図４は実施例２に係るズームレンズの広角端での無限遠合焦時におけるレンズ構成図である。実施例２のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【００７３】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【００７４】
第２レンズ群Ｌ２は、物体側から像側へ順に、物体側に凸面を向けた凹メニスカスレンズと、両凹レンズと物体側に凸面を向けた凸メニスカスレンズの接合レンズとから構成される。
【００７５】
第３レンズ群Ｌ３は、Ｒ１面とＲ２面両面が非球面で物体側に凹面を向けた凹メニスカスレンズで構成される。
【００７６】
第４レンズ群Ｌ４は、物体側から像側へ順に、Ｒ１面とＲ２面両面が非球面で物体側に凸面を向けた凸メニスカスレンズと、両凸レンズと物体側に凹面を向けた凹メニスカスレンズの接合レンズと、物体側に凸面を向けた凹メニスカスレンズと、両凸レンズと、Ｒ１面とＲ２面両面が非球面で物体側に凸面を向けた凸メニスカスレンズとから構成される。
【００７７】
第５レンズ群Ｌ５は、Ｒ１面とＲ２面両面が非球面で物体側に凸面を向けた凹メニスカスレンズで構成される。
【００７８】
第６レンズ群Ｌ６は、物体側に凹面を向けた凸メニスカスレンズで構成される。
【００７９】
続いて、以下に実施例２に係るズームレンズの諸元値を示す。
【００８０】
数値実施例2
単位：mm
[面データ]
面番号              r             d            nd            vd      ΔPgF
物面              ∞          (d0)
1          286.8026        1.5000       1.92119         23.96
2          106.6020        5.6142       1.77250         49.62
3         -945.8185        0.1500
4           57.3808        5.6410       1.49700         81.61
5          163.6888          (d5)
6           46.4110        1.5000       1.77250         49.62
7           15.0966        6.7699
8          -64.3284        1.0000       1.62374         47.05
9           22.0125        3.8933       1.96300         24.11     0.0164
10          90.6182         (d10)
11*         -20.8837        1.0000       1.49710         81.56
12*         -41.4338         (d12)
13(絞り）            ∞        1.5000
14*          28.2543        3.6247       1.69680         55.46
15*          50.5296        0.1500
16          21.4695        8.8646       1.49700         81.61
17         -24.9129        1.0000       1.77250         49.62
18         -57.8565        0.1500
19         123.5425        1.0000       1.85026         32.27
20          33.2768        0.1500
21          20.3795        5.6263       1.43700         95.10
22        -175.8359        0.1500
23*          52.2121        1.5838       1.76802         49.24
24*          75.2449         (d24)
25*         133.6564        1.4500       1.58913         61.25
26*          32.7537         (d26)
27         -53.7819        3.1123       1.51823         58.96
28         -34.6278       27.3744
29               ∞        2.5000       1.51680         64.20
30               ∞         （BF)
像面              ∞
[非球面データ]
11面          12面          14面          15面
K            0.00000       0.00000       0.00000       0.00000
A4      -1.04300E-04  -1.08760E-04   9.88590E-06   1.33220E-05
A6       1.08090E-06   1.24410E-06   5.34010E-08   3.05340E-08
A8      -1.14630E-08  -1.64530E-08  -5.97100E-10  -4.65920E-10
A10       5.64800E-11   1.40310E-10   4.08940E-12   3.17160E-12
A12      -6.02740E-14  -7.13880E-13  -4.20390E-15   0.00000E+00
A14      -5.51120E-16   1.53940E-15   0.00000E+00   0.00000E+00
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
23面          24面          25面          26面
K            0.00000       0.00000       0.00000       0.00000
A4      -2.02120E-05   2.17690E-05   3.63700E-05   4.30050E-05
A6      -1.14310E-07  -3.92550E-08  -1.06930E-06  -1.20620E-06
A8      -1.39500E-09  -9.60740E-10   2.14150E-08   2.38980E-08
A10       2.54720E-11   2.64150E-11  -2.76630E-10  -3.04820E-10
A12      -9.90830E-14  -1.05780E-13   1.92050E-12   2.06100E-12
A14       0.00000E+00   0.00000E+00  -5.49820E-15  -5.69970E-15
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
[各種データ]
ズーム比          3.50
広角          中間          望遠
焦点距離         28.95         54.22        101.44
Fナンバー          2.84          3.41          4.17
全画角2ω         75.13         41.46          23.0
像高Y           21.63         21.63         21.63
レンズ全長       128.00        149.19        175.91
[可変間隔データ]
広角          中間          望遠
d0               ∞            ∞            ∞
d5            0.8000       21.3742       39.9260
d10           10.7268        6.7815        4.8126
d12           12.5248        6.2273        1.5000
d24            2.9692        9.2907       13.8079
d26           14.6746       19.2082       29.5558
BF            1.0000        1.0000        1.0000
[レンズ群データ]
群              始面     焦点距離
L1                 1       119.97
L2                 6       -24.88
L3                11       -86.09
L4                14        24.19
L5                25       -74.04
L6                27       177.76
【実施例３】
【００８１】
図７は実施例３に係るズームレンズの広角端での無限遠合焦時におけるレンズ構成図である。実施例３のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【００８２】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【００８３】
第２レンズ群Ｌ２は、物体側から像側へ順に、物体側に凸面を向けた凹メニスカスレンズと、両凹レンズと、物体側に凸面を向けた凸メニスカスレンズとから構成される。
【００８４】
第３レンズ群Ｌ３は、Ｒ１面とＲ２面両面が非球面で物体側に凹面を向けた凹メニスカスレンズで構成される。
【００８５】
第４レンズ群Ｌ４は、物体側から像側へ順に、Ｒ１面とＲ２面両面が非球面で物体側に凸面を向けた凸メニスカスレンズと、両凸レンズと物体側に凹面を向けた凹メニスカスレンズの接合レンズと、物体側に凸面を向けた凹メニスカスレンズと、物体側に凸面を向けた凸メニスカスレンズと、Ｒ１面とＲ２面両面が非球面で物体側に凸面を向けた凸メニスカスレンズとから構成される。
【００８６】
第５レンズ群Ｌ５は、Ｒ１面とＲ２面両面が非球面で物体側に凸面を向けた凹メニスカスレンズで構成される。
【００８７】
第６レンズ群Ｌ６は、物体側に凹面を向けた凸メニスカスレンズで構成される。
【００８８】
続いて、以下に実施例３に係るズームレンズの諸元値を示す。
【００８９】
数値実施例3
単位：mm
[面データ]
面番号              r             d            nd            vd      ΔPgF
物面              ∞          (d0)
1          385.2216        1.5000       1.92119         23.96
2          131.5187        5.7998       1.77250         49.62
3        -1070.7551        0.1500
4           64.8077        6.5348       1.49700         81.61
5          212.5404          (d5)
6           46.4110        1.5000       1.77250         49.62
7           14.6771        7.0091
8          -56.4085        1.0000       1.65160         58.55
9           24.8995        0.1500
10          23.6964        3.6123       1.92119         23.96     0.0151
11          92.9352         (d11)
12*         -25.7536        1.0000       1.49710         81.56
13*         -52.6458         (d13)
14(絞り）            ∞        1.5000
15*          30.9436        2.6830       1.69350         53.20
16*          56.1601        0.1500
17          26.1146        9.5858       1.49700         81.61
18         -20.8187        1.0000       1.76200         40.10
19         -34.2578        0.1500
20        3516.6517        1.0000       1.83400         37.34
21          39.4677        0.1500
22          18.0791        6.6121       1.43700         95.10
23         327.3971        0.7248
24*          29.5292        1.6703       1.75501         51.16
25*          38.7954         (d25)
26*          97.6165        1.4500       1.62263         58.16
27*          28.8191         (d27)
28        -132.1002        4.3094       1.49700         81.61
29         -42.5437       25.7236
30               ∞        2.5000       1.51680         64.20
31               ∞         （BF)
像面              ∞
[非球面データ]
12面          13面          15面          16面
K            0.00000       0.00000       0.00000       0.00000
A4      -1.84580E-04  -1.77860E-04   4.76640E-06   7.50630E-06
A6       1.45620E-06   1.58140E-06  -2.53170E-08  -3.44630E-08
A8      -1.26440E-08  -1.55740E-08  -2.52470E-11  -4.27950E-11
A10       4.38100E-11   1.05230E-10   1.64950E-12   1.78850E-12
A12       2.30500E-13  -3.71310E-13  -1.01430E-15   0.00000E+00
A14      -2.25340E-15   2.47220E-16   0.00000E+00   0.00000E+00
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
24面          25面          26面          27面
K            0.00000       0.00000       0.00000       0.00000
A4      -5.31490E-08   4.59990E-05  -1.43370E-05  -1.03980E-05
A6      -1.29590E-07  -3.75160E-08   3.06160E-08  -8.73560E-08
A8      -2.93630E-09  -3.12760E-09   5.58670E-10   3.37150E-09
A10       3.31880E-11   4.12450E-11   1.97270E-12  -4.35240E-11
A12      -9.59160E-14  -1.18440E-13  -1.06230E-13   2.45950E-13
A14       0.00000E+00   0.00000E+00   5.41750E-16  -5.33000E-16
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
[各種データ]
ズーム比          4.09
広角          中間          望遠
焦点距離         24.82         50.22        101.44
Fナンバー          4.14          4.12          4.13
全画角2ω         84.93         44.15          23.0
像高Y           21.63         21.63         21.63
レンズ全長       128.00        155.38        194.18
[可変間隔データ]
広角          中間          望遠
d0               ∞            ∞            ∞
d5            0.8000       25.7671       49.6549
d11           11.1138        6.3974        4.9488
d13           11.9495        5.6689        1.5000
d25            3.3892       10.9749       14.0831
d27           12.2827       18.1084       35.5267
BF            1.0000        1.0000        1.0000
[レンズ群データ]
群              始面     焦点距離
L1                 1       135.60
L2                 6       -21.64
L3                12      -102.69
L4                15        23.91
L5                26       -66.21
L6                28       124.28
【実施例４】
【００９０】
図１０は実施例４に係るズームレンズの広角端での無限遠合焦時におけるレンズ構成図である。実施例４のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【００９１】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【００９２】
第２レンズ群Ｌ２は、物体側から像側へ順に、物体側に凸面を向けた凹メニスカスレンズと、Ｒ１面とＲ２面両面が非球面の両凹レンズと、両凸レンズとから構成される。
【００９３】
第３レンズ群Ｌ３は、Ｒ１面とＲ２面両面が非球面で物体側に凹面を向けた凹メニスカスレンズで構成される。
【００９４】
第４レンズ群Ｌ４は、物体側から像側へ順に、Ｒ１面とＲ２面両面が非球面で物体側に凸面を向けた凸メニスカスレンズと、両凸レンズと物体側に凹面を向けた凹メニスカスレンズの接合レンズと、両凹レンズと、物体側に凸面を向けた凸メニスカスレンズと、Ｒ１面とＲ２面両面が非球面で物体側に凸面を向けた凸メニスカスレンズとから構成される。
【００９５】
第５レンズ群Ｌ５は、Ｒ１面とＲ２面両面が非球面で物体側に凸面を向けた凹メニスカスレンズで構成される。
【００９６】
第６レンズ群Ｌ６は、物体側に凹面を向けた凸メニスカスレンズで構成される。
【００９７】
続いて、以下に実施例４に係るズームレンズの諸元値を示す。
【００９８】
数値実施例4
単位：mm
[面データ]
面番号              r             d            nd            vd      ΔPgF
物面              ∞          (d0)
1         1000.0000        1.5000       1.92119         23.96
2          146.5139        5.7184       1.75500         52.32
3        -1605.5498        0.1500
4           73.4955        5.7411       1.77250         49.62
5          172.9564          (d5)
6           46.4110        1.5000       1.77250         49.62
7           12.5289        8.7181
8*         -31.8115        1.0000       1.69350         53.20
9*          46.8075        0.3726
10          64.6724        3.3760       1.92119         23.96    0.0151
11         -66.4556         (d11)
12*        -101.6345        1.1936       1.49710         81.56
13*       -1000.0000         (d13)
14(絞り）            ∞        1.5000
15*          36.0358        3.0107       1.68893         31.16
16*          71.0442        0.1500
17          22.3837        8.9448       1.49700         81.61
18         -22.3689        1.0000       1.80450         39.63
19         -34.6398        1.7435
20         -82.5854        1.0000       1.85026         32.27
21          42.8401        0.1522
22          16.2414        6.1910       1.43700         95.10
23         120.6012        0.8624
24*          57.9099        1.7230       1.77377         47.17
25*         224.9207         (d25)
26*        1000.0000        1.5000       1.69680         55.46
27*          48.6961         (d27)
28        -148.8749        4.8684       1.49700         81.61
29         -40.1694       23.6288
30               ∞        2.5000       1.51680         64.20
31               ∞         （BF)
像面              ∞
[非球面データ]
8面           9面          12面          13面
K           -0.42506      -7.91920       0.00000       0.00000
A4      -2.16970E-05  -3.87510E-05  -2.79560E-04  -2.63830E-04
A6       3.85030E-07   5.59880E-07   2.01190E-06   2.03820E-06
A8      -6.67090E-09  -1.02840E-08  -1.24210E-08  -1.41910E-08
A10       7.77530E-11   1.29970E-10   5.41600E-11   7.80550E-11
A12      -4.98970E-13  -8.79770E-13   8.78380E-14  -2.20470E-13
A14       1.27080E-15   2.37290E-15  -2.02230E-15  -3.13320E-16
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
15面          16面          24面          25面
K            0.00000       0.00000       0.00000       0.00000
A4       3.66440E-05   4.10420E-05   1.34180E-06   5.21110E-05
A6      -5.90180E-08  -4.98680E-08   5.56070E-08   2.02920E-07
A8      -2.75900E-10  -6.11350E-10  -7.39110E-11   2.81730E-10
A10       2.42210E-12   4.04380E-12   6.30460E-12   7.70370E-12
A12       2.85430E-16   0.00000E+00  -3.25700E-14  -2.52380E-14
A14       0.00000E+00   0.00000E+00   0.00000E+00   0.00000E+00
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
26面          27面
K            0.00000       0.00000
A4       4.87420E-05   5.53810E-05
A6      -2.93430E-07  -3.12950E-07
A8       4.94700E-11   1.97030E-10
A10       1.79310E-11   1.60770E-11
A12      -1.62950E-13  -1.50790E-13
A14       4.81680E-16   4.47550E-16
A16       0.00000E+00   0.00000E+00
A18       0.00000E+00   0.00000E+00
A20       0.00000E+00   0.00000E+00
[各種データ]
ズーム比          3.97
広角          中間          望遠
焦点距離         20.70         41.23         82.11
Fナンバー          4.14          4.13          4.14
全画角2ω         98.46         53.32          28.2
像高Y           21.63         21.63         21.63
レンズ全長       127.11        153.18        194.37
[可変間隔データ]
広角          中間          望遠
d0               ∞            ∞            ∞
d5            0.8000       24.9999       54.1810
d11            9.5890        4.6739        2.7149
d13           13.3497        5.7576        1.5000
d25            3.1869       12.9901       19.3540
d27           11.1442       15.7127       27.5751
BF            1.0000        1.0000        1.0000
[レンズ群データ]
群              始面     焦点距離
L1                 1       154.85
L2                 6       -19.08
L3                12      -227.68
L4                15        25.65
L5                26       -73.51
L6                28       109.07
【実施例５】
【００９９】
図１３は実施例５に係るズームレンズの広角端での無限遠合焦時におけるレンズ構成図である。実施例５のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【０１００】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【０１０１】
第２レンズ群Ｌ２は、物体側から像側へ順に、Ｒ１面とＲ２面両面が非球面で物体側に凸面を向けた凹メニスカスレンズと、両凹レンズと物体側に凸面を向けた凸メニスカスレンズの接合レンズとから構成される。
【０１０２】
第３レンズ群Ｌ３は、物体側から像側へ順に、Ｒ１面とＲ２面両面が非球面の両凸レンズと、物体側に凹面を向けた凹メニスカスレンズとから構成される。
【０１０３】
第４レンズ群Ｌ４は、物体側から像側へ順に、Ｒ１面とＲ２面両面が非球面の両凸レンズと、物体側に凹面を向けた凸メニスカスレンズと物体側に凹面を向けた凹メニスカスレンズの接合レンズと、物体側に凸面を向けた凹メニスカスレンズと、両凸レンズとから構成される。
【０１０４】
第５レンズ群Ｌ５は、Ｒ１面とＲ２面両面が非球面で物体側に凸面を向けた凹メニスカスレンズで構成される。
【０１０５】
第６レンズ群Ｌ６は、物体側に凸面を向けた凸メニスカスレンズで構成される。
【０１０６】
続いて、以下に実施例５に係るズームレンズの諸元値を示す。
【０１０７】
数値実施例5
単位：mm
[面データ]
面番号              r             d            nd            vd      ΔPgF
物面              ∞          (d0)
1         1000.0000        1.5000       1.92286         20.88
2          175.0876        4.3241       1.75500         52.32
3         -633.7586        0.1500
4           50.0027        6.5703       1.59282         68.63
5          179.1179          (d5)
6*          46.4110        1.5000       1.80610         40.73
7*          15.4460        7.7336
8          -39.8656        1.0000       1.69680         55.46
9           22.4579        4.2747       2.00069         25.46     0.0108
10         121.4238         (d10)
11*          67.3299        2.9369       1.83441         37.28
12*        -102.0010        2.0694
13         -23.4208        1.0000       1.80610         40.73
14         -70.0376         (d14)
15(絞り）            ∞        1.5000
16*          42.2246        5.2795       1.69350         53.20
17*         -54.1844        0.1500
18        -448.4827       10.2433       1.49700         81.61
19         -14.4575        1.0000       1.69680         55.46
20         -26.2766        0.1500
21          44.6089        1.0000       1.85478         24.80
22          23.0492        6.8638
23          39.8778        7.5612       1.49700         81.61
24         -30.7572         (d24)
25*         129.5500        1.4500       1.69350         53.20
26*          26.3791         (d26)
27          45.5651        2.3465       1.74077         27.76
28          63.1517       29.8979
29               ∞        2.5000       1.51680         64.20
30               ∞         （BF)
像面              ∞
[非球面データ]
6面           7面          11面          12面
K            0.00000       0.00000       0.00000       0.00000
A4      -1.58980E-05  -2.60200E-05  -4.37950E-06  -4.12580E-06
A6       1.75210E-07   1.33850E-07  -6.05420E-08  -5.59550E-08
A8      -7.85940E-10  -4.38650E-10   3.37740E-10   2.59730E-10
A10       1.99880E-12   5.17960E-12   0.00000E+00   0.00000E+00
A12      -1.96760E-15  -5.94690E-14   0.00000E+00   0.00000E+00
A14       0.00000E+00   2.42180E-16   0.00000E+00   0.00000E+00
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
16面          17面          25面          26面
K            0.00000       0.00000       0.00000       0.00000
A4      -3.98600E-06   1.34090E-05   1.90280E-05   2.25590E-05
A6       1.58450E-07   8.67700E-08  -3.44220E-07  -3.98360E-07
A8      -3.37170E-09  -1.91480E-09   3.27460E-09   3.94380E-09
A10       4.91750E-11   2.31520E-11  -1.82600E-11  -2.35250E-11
A12      -4.31730E-13  -1.67180E-13   4.99510E-14   6.80010E-14
A14       2.26300E-15   6.83410E-16  -3.63000E-17  -5.09270E-17
A16      -6.38670E-18  -1.44890E-18   0.00000E+00   0.00000E+00
A18       6.91200E-21   1.22910E-21   0.00000E+00   0.00000E+00
A20       3.16900E-24   0.00000E+00   0.00000E+00   0.00000E+00
[各種データ]
ズーム比          2.50
広角          中間          望遠
焦点距離         28.95         45.80         72.45
Fナンバー          2.92          2.91          2.92
全画角2ω         74.70         48.97          31.7
像高Y           21.63         21.63         21.63
レンズ全長       134.00        144.45        159.46
[可変間隔データ]
広角          中間          望遠
d0               ∞            ∞            ∞
d5            0.8000       13.7647       26.4824
d10            4.6796        2.2928        1.1959
d14           13.8065        6.7293        1.5000
d24            2.5000        6.2514        8.6752
d26            8.2127       11.4134       17.6056
BF            1.0000        1.0000        1.0000
[レンズ群データ]
群              始面     焦点距離
L1                 1       101.30
L2                 6       -20.08
L3                11     -1000.05
L4                16        26.58
L5                25       -48.04
L6                27       209.01
【実施例６】
【０１０８】
図１６は実施例６に係るズームレンズの広角端での無限遠合焦時におけるレンズ構成図である。実施例６のズームレンズは、物体側から像側へ順に、正の屈折力を有する第１レンズ群Ｌ１と、負の屈折力を有する第２レンズ群Ｌ２と、負の屈折力を有する第３レンズ群Ｌ３と、開口絞りと、正の屈折力を有する第４レンズ群Ｌ４と、負の屈折力を有しフォーカス時に像面側へ移動する第５レンズ群Ｌ５と、正の屈折力を有しズーム時像面に対して固定の第６レンズ群Ｌ６とから構成される。
【０１０９】
第１レンズ群Ｌ１は、物体側から像側へ順に、物体側に凸面を向けた凹メニスカスレンズと両凸レンズの接合レンズと、物体側に凸面を向けた凸メニスカスレンズとから構成される。
【０１１０】
第２レンズ群Ｌ２は、物体側から像側へ順に、物体側に凸面を向けた凹メニスカスレンズと、両凹レンズと物体側に凸面を向けた凸メニスカスレンズの接合レンズとから構成される。
【０１１１】
第３レンズ群Ｌ３は、Ｒ１面とＲ２面両面が非球面で物体側に凹面を向けた凹メニスカスレンズで構成される。
【０１１２】
第４レンズ群Ｌ４は、物体側から像側へ順に、Ｒ１面とＲ２面両面が非球面で物体側に凸面を向けた凸メニスカスレンズと、両凸レンズと物体側に凹面を向けた凹メニスカスレンズの接合レンズと、物体側に凹面を向けた凸メニスカスレンズと両凹レンズの接合レンズで光軸に対して垂直方向成分を持つように移動させることで光軸と垂直方向に像を移動させるレンズ成分Ｌｏｓと、両凸レンズと両凹レンズの接合レンズと、Ｒ１面が非球面で物体側に凸面を向けた凸メニスカスレンズとから構成される。
【０１１３】
第５レンズ群Ｌ５は、Ｒ１面とＲ２面両面が非球面で物体側に凸面を向けた凹メニスカスレンズで構成される。
【０１１４】
第６レンズ群Ｌ６は、物体側に凹面を向けた凸メニスカスレンズで構成される。
【０１１５】
続いて、以下に実施例６に係るズームレンズの諸元値を示す。
【０１１６】
数値実施例6
単位：mm
[面データ]
面番号              r             d            nd            vd      ΔPgF
物面              ∞          (d0)
1          403.7250        1.5000       1.92119         23.96
2          146.3485        6.5122       1.77250         49.62
3         -929.7570        0.1500
4           74.9959        6.6806       1.49700         81.61
5          220.9133          (d5)
6           46.4110        1.5000       1.76385         48.49
7           14.4947        6.9810
8          -58.0367        0.8000       1.61772         49.81
9           19.9265        4.0240       1.92119         23.96     0.0151
10          89.2513         (d10)
11*         -28.7867        1.0000       1.49710         81.56
12*        -146.5914         (d12)
13(絞り）            ∞        1.5000
14*          29.5916        3.3845       1.69350         53.20
15*         167.8741        0.4598
16          38.4122        8.4314       1.49700         81.61
17         -17.5838        1.7663       1.80518         25.42
18         -23.1850        0.1500
19        -197.8278        3.7174       1.96300         24.11
20         -26.7337        0.8000       1.90366         31.32
21          66.0978        0.1500
22          25.9760        3.7858       1.43700         95.10
23        -980.0070        0.8000       1.85026         32.27
24          41.8283        2.7446
25*          32.2071        2.6758       1.69350         53.20
26         392.2986         (d26)
27*         257.9458        1.4500       1.75501         51.16
28*          46.3213         (d28)
29        -168.0683        4.1510       1.51742         52.15
30         -46.9863       28.4905
31               ∞        2.5000       1.51680         64.20
32               ∞         （BF)
像面              ∞
[非球面データ]
11面          12面          14面          15面
K            0.00000       0.00000       0.00000       0.00000
A4      -2.33580E-04  -2.27610E-04   9.95060E-06   2.81190E-05
A6       3.09530E-06   3.20440E-06   1.19820E-07   1.41300E-07
A8      -3.73200E-08  -4.10120E-08  -3.06990E-10  -1.11480E-10
A10       2.30780E-10   3.33100E-10   2.65920E-12   1.99320E-12
A12      -1.32780E-13  -1.40260E-12  -3.13250E-15   0.00000E+00
A14      -4.32840E-15   1.84090E-15   0.00000E+00   0.00000E+00
A16       0.00000E+00   0.00000E+00   0.00000E+00   0.00000E+00
A18       0.00000E+00   0.00000E+00   0.00000E+00   0.00000E+00
A20       0.00000E+00   0.00000E+00   0.00000E+00   0.00000E+00
25面          27面          28面
K            0.00000       0.00000       0.00000
A4      -2.33350E-05   1.90040E-05   2.33440E-05
A6      -8.00510E-09  -2.25800E-07  -2.28790E-07
A8      -3.78950E-10   3.01860E-09   2.69400E-09
A10       2.45670E-12  -1.98640E-11  -1.75260E-11
A12      -1.09790E-14   5.59040E-14   4.84590E-14
A14       0.00000E+00   0.00000E+00   0.00000E+00
A16       0.00000E+00   0.00000E+00   0.00000E+00
A18       0.00000E+00   0.00000E+00   0.00000E+00
A20       0.00000E+00   0.00000E+00   0.00000E+00
[各種データ]
ズーム比          4.09
広角          中間          望遠
焦点距離         24.82         50.22        101.44
Fナンバー          4.13          4.14          4.14
全画角2ω         86.29         44.88          23.0
像高Y           21.63         21.63         21.63
レンズ全長       128.00        161.12        208.29
[可変間隔データ]
広角          中間          望遠
d0               ∞            ∞            ∞
d5            0.8000       25.8554       60.1748
d10           10.1122        5.4910        4.0722
d12           10.0139        4.5909        1.5000
d26            2.5059       10.0784       12.5413
d28            7.4629       18.0035       32.8963
BF            1.0000        1.0000        1.0000
[レンズ群データ]
群             始面     焦点距離
L1                1       153.19
L2                6       -23.20
L3               11       -72.26
L4               14        23.88
L5               27       -75.00
L6               29       124.59
【０１１７】
次の［条件式対応値］には、各条件式に対応する各実施例の対応値の一覧を示す。
【０１１８】
[条件式対応値]
条件式          実施例1  実施例2  実施例3  実施例4  実施例5  実施例6
(1)0.86＜β5wb^2×(β5w^2-1)  1.43     1.34     1.29     1.03     2.13     1.04
(2)      0.50＜Y／Bf'         0.84     0.72     0.76     0.82     0.66     0.69
(3)       65＜νd4p          81.61    81.61    81.61    81.61    81.61    81.61
(4)       νd2p＜30          20.88    24.11    23.96    23.96    25.46    23.96
(5)    0.0050＜ΔPgf2p      0.0282   0.0164   0.0151   0.0151   0.0111   0.0151
(6)   2.00＜f1/fw＜8.00       2.56     4.14     5.46     7.48     3.50     6.17
(7)  -1.22＜f2/fw＜-0.53     -0.72    -0.86    -0.87    -0.92    -0.69    -0.93
【０１１９】
各実施例の諸収差図から明らかな通り、本発明によれば、フォーカス群を軽量化しつつ、ウォブリング時の像倍率変動を抑え、良好な光学性能を得ることが可能で、ミラーレスカメラに最適なズームレンズを提供することができる。
【符号の説明】
【０１２０】
Ｌ１    第１レンズ群
Ｌ２    第２レンズ群
Ｌ３    第３レンズ群
Ｌ４    第４レンズ群
Ｌ５    第５レンズ群
Ｌ６    第６レンズ群
Ｌｏｓ  レンズ成分Ｌｏｓ
Ｓ      開口絞り
ＬＰＦ  ローパスフィルター
Ｉ      像面
【図１】
2020197597.tif 000004
【図２ａ】
2020197597.tif 000005
【図２ｂ】
2020197597.tif 000006
【図２ｃ】
2020197597.tif 000007
【図３ａ】
2020197597.tif 000008
【図３ｂ】
2020197597.tif 000009
【図３ｃ】
2020197597.tif 000010
【図４】
2020197597.tif 000011
【図５ａ】
2020197597.tif 000012
【図５ｂ】
2020197597.tif 000013
【図５ｃ】
2020197597.tif 000014
【図６ａ】
2020197597.tif 000015
【図６ｂ】
2020197597.tif 000016
【図６ｃ】
2020197597.tif 000017
【図７】
2020197597.tif 000018
【図８ａ】
2020197597.tif 000019
【図８ｂ】
2020197597.tif 000020
【図８ｃ】
2020197597.tif 000021
【図９ａ】
2020197597.tif 000022
【図９ｂ】
2020197597.tif 000023
【図９ｃ】
2020197597.tif 000024
【図１０】
2020197597.tif 000025
【図１１ａ】
2020197597.tif 000026
【図１１ｂ】
2020197597.tif 000027
【図１１ｃ】
2020197597.tif 000028
【図１２ａ】
2020197597.tif 000029
【図１２ｂ】
2020197597.tif 000030
【図１２ｃ】
2020197597.tif 000031
【図１３】
2020197597.tif 000032
【図１４ａ】
2020197597.tif 000033
【図１４ｂ】
2020197597.tif 000034
【図１４ｃ】
2020197597.tif 000035
【図１５ａ】
2020197597.tif 000036
【図１５ｂ】
2020197597.tif 000037
【図１５ｃ】
2020197597.tif 000038
【図１６】
2020197597.tif 000039
【図１７ａ】
2020197597.tif 000040
【図１７ｂ】
2020197597.tif 000041
【図１７ｃ】
2020197597.tif 000042
【図１８ａ】
2020197597.tif 000043
【図１８ｂ】
2020197597.tif 000044
【図１８ｃ】
2020197597.tif 000045
【図１９ａ】
2020197597.tif 000046
【図１９ｂ】
2020197597.tif 000047
【図１９ｃ】
2020197597.tif 000048